(57)【要約】【課題】再生装置自体に再生の制限が設定されていない汎用の再生装置であっても、映像データの再生を個別に制限することが可能な映像データ処理装置を提供する。【解決手段】プレイリスト作成部６は、ユーザによって選択されたストリームファイルの再生順序を規定するプレイリストを作成し、プレイリストに従ったストリームファイルの再生を制限するための制限情報をプレイリストに関連付ける。プログラム作成部７は、再生装置にて入力された制限情報が関連付けられているプレイリストに従ってストリームファイルを再生するための再生制御プログラムを作成する。書き込み部８は、映像データ、プレイリスト及び再生制御プログラムを可搬性記録媒体２０に書き込む。【選択図】図１
2013225366.tif 000002
【特許請求の範囲】
【請求項１】
ストリームファイルを含む映像データを受け、前記映像データに含まれる前記ストリームファイルの再生順序を規定するプレイリストを作成し、前記ストリームファイルの再生を再生区間ごとに制限するための制限情報を前記再生区間ごとに関連付けるプレイリスト作成手段と、
再生装置にて制限情報が入力された場合に、前記プレイリスト作成手段によって作成された前記プレイリストによって再生順序が規定された前記ストリームファイルのうち、前記再生装置にて入力された制限情報が関連付けられている再生区間に対応するストリームファイルを再生するための再生制御プログラムを作成するプログラム作成手段と、
前記映像データ、前記プレイリスト及び前記再生制御プログラムを可搬性記録媒体に書き込む書き込み手段と、
を有することを特徴とする映像データ処理装置。
【請求項２】
請求項１に記載の映像データ処理装置であって、
前記プレイリスト作成手段は、前記映像データに含まれる前記ストリームファイルのうちユーザによって選択されたストリームファイルの再生順序を規定するプレイリストを作成し、前記プレイリストに従った前記ストリームファイルの再生を制限するための制限情報を前記プレイリストごとに関連付け、
前記プログラム作成手段は、前記再生装置にて制限情報が入力された場合に前記プレイリスト作成手段によって作成された前記プレイリストのうち前記再生装置にて入力された制限情報が関連付けられているプレイリストに従って前記ストリームファイルを再生するための前記再生制御プログラムを作成する、
ことを特徴とする映像データ処理装置。
【請求項３】
請求項２に記載の映像データ処理装置であって、
前記プレイリスト作成手段は、前記映像データに含まれる前記ストリームファイルのうち前記ユーザによって指定された撮像装置によって撮像されたストリームファイルの再生順序を規定するプレイリストを作成し、前記制限情報を前記プレイリストごとに関連付ける、
ことを特徴とする映像データ処理装置。
【請求項４】
請求項２に記載の映像データ処理装置であって、
前記プレイリスト作成手段は、前記映像データに含まれる前記ストリームファイルのうち前記ユーザによって指定された時間に撮像されたストリームファイルの再生順序を規定するプレイリストを作成し、前記制限情報を前記プレイリストごとに関連付ける、
ことを特徴とする映像データ処理装置。
【請求項５】
請求項２に記載の映像データ処理装置であって、
前記プレイリスト作成手段は、前記映像データに含まれる前記ストリームファイルのうち、前記ユーザによって指定された撮像装置によって、前記ユーザによって指定された時間に撮像されたストリームファイルの再生順序を規定するプレイリストを作成し、前記制限情報を前記プレイリストごとに関連付ける、
ことを特徴とする映像データ処理装置。
【請求項６】
請求項２から請求項５のいずれか一項に記載の映像データ処理装置であって、
前記プレイリスト作成手段は、特定のユーザを識別するためのユーザ識別情報を受け、再生が許可される範囲を示す再生条件情報とユーザ識別情報とを関連付けて記憶する記憶手段から、前記受けたユーザ識別情報に関連付けられている再生条件情報を取得し、前記取得した再生条件情報によって特定されるストリームファイルの再生順序を規定するプレイリストを作成し、前記制限情報を前記プレイリストごとに関連付ける、
ことを特徴とする映像データ処理装置。
【請求項７】
ストリームファイルを含む映像データを受け、前記映像データに含まれる前記ストリームファイルの再生順序を規定するプレイリストを作成し、前記ストリームファイルの再生を再生区間ごとに制限するための制限情報を前記再生区間ごとに関連付ける第１のステップと、
再生装置にて制限情報が入力された場合に、前記第１のステップで作成された前記プレイリストによって再生順序が規定された前記ストリームファイルのうち、前記再生装置にて入力された制限情報が関連付けられている再生区間に対応するストリームファイルを再生するための再生制御プログラムを作成する第２のステップと、
前記映像データ、前記プレイリスト及び前記再生制御プログラムを可搬性記録媒体に書き込む第３のステップと、
を含むことを特徴とする映像データ処理方法。
【請求項８】
請求項７に記載の映像データ処理方法であって、
前記第１のステップでは、前記映像データに含まれる前記ストリームファイルのうちユーザによって選択されたストリームファイルの再生順序を規定するプレイリストを作成し、前記プレイリストに従った前記ストリームファイルの再生を制限するための制限情報を前記プレイリストごとに関連付け、
前記第２のステップでは、前記再生装置にて制限情報が入力された場合に前記第１のステップで作成された前記プレイリストのうち前記再生装置にて入力された制限情報が関連付けられているプレイリストに従って前記ストリームファイルを再生するための再生制御プログラムを作成する、
ことを特徴とする映像データ処理方法。
【請求項９】
請求項８に記載の映像データ処理方法であって、
前記第１のステップでは、前記映像データに含まれる前記ストリームファイルのうち前記ユーザによって指定された撮像装置によって撮像されたストリームファイルの再生順序を規定するプレイリストを作成し、前記制限情報を前記プレイリストごとに関連付ける、
ことを特徴とする映像データ処理方法。
【請求項１０】
請求項８に記載の映像データ処理方法であって、
前記第１のステップでは、前記映像データに含まれる前記ストリームファイルのうち前記ユーザによって指定された時間に撮像されたストリームファイルの再生順序を規定するプレイリストを作成し、前記制限情報を前記プレイリストごとに関連付ける、
ことを特徴とする映像データ処理方法。
【請求項１１】
請求項８に記載の映像データ処理方法であって、
前記第１のステップでは、前記映像データに含まれる前記ストリームファイルのうち、前記ユーザによって指定された撮像装置によって、前記ユーザによって指定された時間に撮像されたストリームファイルの再生順序を規定するプレイリストを作成し、前記制限情報を前記プレイリストごとに関連付ける、
ことを特徴とする映像データ処理方法。
【請求項１２】
請求項８から請求項１１のいずれか一項に記載の映像データ処理方法であって、
前記第１のステップでは、特定のユーザを識別するためのユーザ識別情報を受け、再生が許可される範囲を示す再生条件情報とユーザ識別情報とを関連付けて記憶する記憶手段から、前記受けたユーザ識別情報に関連付けられている再生条件情報を取得し、前記取得した再生条件情報によって特定されるストリームファイルの再生順序を規定するプレイリストを作成し、前記制限情報を前記プレイリストごとに関連付ける、
ことを特徴とする映像データ処理方法。
【請求項１３】
コンピュータに、
ストリームファイルを含む映像データを受け、前記映像データに含まれる前記ストリームファイルの再生順序を規定するプレイリストを作成し、前記ストリームファイルの再生を再生区間ごとに制限するための制限情報を前記再生区間ごとに関連付ける第１のステップと、
再生装置にて制限情報が入力された場合に、前記第１のステップで作成された前記プレイリストによって再生順序が規定された前記ストリームファイルのうち、前記再生装置にて入力された制限情報が関連付けられている再生区間に対応するストリームファイルを再生するための再生制御プログラムを作成する第２のステップと、
前記映像データ、前記プレイリスト及び前記再生制御プログラムを可搬性記録媒体に書き込む第３のステップと、
を実行させることを特徴とするプログラム。
【請求項１４】
請求項１３に記載のプログラムであって、
前記第１のステップでは、前記映像データに含まれる前記ストリームファイルのうちユーザによって選択されたストリームファイルの再生順序を規定するプレイリストを作成し、前記プレイリストに従った前記ストリームファイルの再生を制限するための制限情報を前記プレイリストごとに関連付け、
前記第２のステップでは、前記再生装置にて制限情報が入力された場合に前記第１のステップで作成された前記プレイリストのうち前記再生装置にて入力された制限情報が関連付けられているプレイリストに従って前記ストリームファイルを再生するための再生制御プログラムを作成する、
ことを特徴とするプログラム。
【発明の詳細な説明】
【技術分野】
【０００１】
本発明は、映像データ処理装置、映像データ処理方法及びプログラムに関する。
【背景技術】
【０００２】
映像データをＢｌｕ−ｒａｙディスク等の可搬性記録媒体に記録し、当該可搬性記録媒体を配布する場合がある。例えば、ビル等の建物に設置された監視カメラによって撮像された映像データを可搬性記録媒体に記録し、当該可搬性記録媒体を顧客等に配布する場合がある。このように可搬性記録媒体を配布する場合、映像データの視聴を制限するために、可搬性記録媒体にパスワードを設定することがある。
【０００３】
例えば下記の特許文献１には、コンテンツ自体にパスワードを設定することでコンテンツへのアクセスを制限することが開示されている。特許文献１に記載された装置は、ユーザによって入力されたパスワードによってアクセス制限を解除し、アクセス制限が解除されたコンテンツを再生する。
【０００４】
また、下記の特許文献２には、コンテンツの視聴を制限するための制限情報の一覧を表示する装置が開示されている。
【先行技術文献】
【特許文献】
【０００５】
【特許文献１】特開２００６−４０３３２号公報
【特許文献２】国際公開第２００９／１３６４８１号
【発明の概要】
【発明が解決しようとする課題】
【０００６】
上述した従来技術のように、可搬性記録媒体にパスワード等を設定することで視聴を制限する場合、映像データの視聴が一括に制限されてしまうため、映像データのうち視聴可能な範囲を個別に設定することが困難となる。従って、ユーザがパスワードを知っている場合、可搬性記録媒体に記録されているすべての映像データを視聴することができてしまい、その一方で、ユーザがパスワードを知らない場合には、可搬性記録媒体に記録されている一切の映像データを視聴することができなくなってしまう。このように、可搬性記録媒体にパスワードを設定して映像データの視聴を一括に制限した場合、視聴可能な範囲を個別に設定することが困難となり、例えば、パスワード（ユーザ）ごとに視聴可能な範囲を設定することが困難となる。
【０００７】
また、上記の特許文献１，２に記載された装置では、一種類のパスワードしか設定することができず、全体又は特定のコンテンツに対して同じパスワードを設定することになるため、パスワード（ユーザ）ごとに視聴可能な範囲を設定することは困難である。また、上記の特許文献１，２に記載された再生装置では、再生装置自体に年齢制限等の視聴制限を設定することになるため、視聴制限が設定されていない再生装置では可搬性記録媒体に記録されている映像データの視聴を制限することができず、映像データが再生されてしまう問題がある。
【０００８】
本発明の目的は、再生装置自体に再生の制限が設定されていない汎用の再生装置であっても、映像データの再生を個別に制限することが可能な映像データ処理装置、映像データ処理方法及びプログラムを提供することである。
【課題を解決するための手段】
【０００９】
請求項１に係る発明は、ストリームファイルを含む映像データを受け、前記映像データに含まれる前記ストリームファイルの再生順序を規定するプレイリストを作成し、前記ストリームファイルの再生を再生区間ごとに制限するための制限情報を前記再生区間ごとに関連付けるプレイリスト作成手段と、再生装置にて制限情報が入力された場合に、前記プレイリスト作成手段によって作成された前記プレイリストによって再生順序が規定された前記ストリームファイルのうち、前記再生装置にて入力された制限情報が関連付けられている再生区間に対応するストリームファイルを再生するための再生制御プログラムを作成するプログラム作成手段と、前記映像データ、前記プレイリスト及び前記再生制御プログラムを可搬性記録媒体に書き込む書き込み手段と、を有することを特徴とする映像データ処理装置である。
【００１０】
また、請求項２に係る発明は、請求項１に係る映像データ処理装置であって、前記プレイリスト作成手段は、前記映像データに含まれる前記ストリームファイルのうちユーザによって選択されたストリームファイルの再生順序を規定するプレイリストを作成し、前記プレイリストに従った前記ストリームファイルの再生を制限するための制限情報を前記プレイリストごとに関連付け、前記プログラム作成手段は、前記再生装置にて制限情報が入力された場合に前記プレイリスト作成手段によって作成された前記プレイリストのうち前記再生装置にて入力された制限情報が関連付けられているプレイリストに従って前記ストリームファイルを再生するための前記再生制御プログラムを作成する、ことを特徴とする。
【００１１】
また、請求項３に係る発明は、請求項２に係る映像データ処理装置であって、前記プレイリスト作成手段は、前記映像データに含まれる前記ストリームファイルのうち前記ユーザによって指定された撮像装置によって撮像されたストリームファイルの再生順序を規定するプレイリストを作成し、前記制限情報を前記プレイリストごとに関連付ける、ことを特徴とする。
【００１２】
また、請求項４に係る発明は、請求項２に係る映像データ処理装置であって、前記プレイリスト作成手段は、前記映像データに含まれる前記ストリームファイルのうち前記ユーザによって指定された時間に撮像されたストリームファイルの再生順序を規定するプレイリストを作成し、前記制限情報を前記プレイリストごとに関連付ける、ことを特徴とする。
【００１３】
また、請求項５に係る発明は、請求項２に係る映像データ処理装置であって、前記プレイリスト作成手段は、前記映像データに含まれる前記ストリームファイルのうち、前記ユーザによって指定された撮像装置によって、前記ユーザによって指定された時間に撮像されたストリームファイルの再生順序を規定するプレイリストを作成し、前記制限情報を前記プレイリストごとに関連付ける、ことを特徴とする。
【００１４】
また、請求項６に係る発明は、請求項２から請求項５のいずれか一項に係る映像データ処理装置であって、前記プレイリスト作成手段は、特定のユーザを識別するためのユーザ識別情報を受け、再生が許可される範囲を示す再生条件情報とユーザ識別情報とを関連付けて記憶する記憶手段から、前記受けたユーザ識別情報に関連付けられている再生条件情報を取得し、前記取得した再生条件情報によって特定されるストリームファイルの再生順序を規定するプレイリストを作成し、前記制限情報を前記プレイリストごとに関連付ける、ことを特徴とする。
【００１５】
また、請求項７に係る発明は、ストリームファイルを含む映像データを受け、前記映像データに含まれる前記ストリームファイルの再生順序を規定するプレイリストを作成し、前記ストリームファイルの再生を再生区間ごとに制限するための制限情報を前記再生区間ごとに関連付ける第１のステップと、再生装置にて制限情報が入力された場合に、前記第１のステップで作成された前記プレイリストによって再生順序が規定された前記ストリームファイルのうち、前記再生装置にて入力された制限情報が関連付けられている再生区間に対応するストリームファイルを再生するための再生制御プログラムを作成する第２のステップと、前記映像データ、前記プレイリスト及び前記再生制御プログラムを可搬性記録媒体に書き込む第３のステップと、を含むことを特徴とする映像データ処理方法である。
【００１６】
また、請求項８に係る発明は、請求項７に係る映像データ処理方法であって、前記第１のステップでは、前記映像データに含まれる前記ストリームファイルのうちユーザによって選択されたストリームファイルの再生順序を規定するプレイリストを作成し、前記プレイリストに従った前記ストリームファイルの再生を制限するための制限情報を前記プレイリストごとに関連付け、前記第２のステップでは、前記再生装置にて制限情報が入力された場合に前記第１のステップで作成された前記プレイリストのうち前記再生装置にて入力された制限情報が関連付けられているプレイリストに従って前記ストリームファイルを再生するための再生制御プログラムを作成する、ことを特徴とする。
【００１７】
また、請求項９に係る発明は、請求項８に係る映像データ処理方法であって、前記第１のステップでは、前記映像データに含まれる前記ストリームファイルのうち前記ユーザによって指定された撮像装置によって撮像されたストリームファイルの再生順序を規定するプレイリストを作成し、前記制限情報を前記プレイリストごとに関連付ける、ことを特徴とする。
【００１８】
また、請求項１０に係る発明は、請求項８に係る映像データ処理方法であって、前記第１のステップでは、前記映像データに含まれる前記ストリームファイルのうち前記ユーザによって指定された時間に撮像されたストリームファイルの再生順序を規定するプレイリストを作成し、前記制限情報を前記プレイリストごとに関連付ける、ことを特徴とする。
【００１９】
また、請求項１１に係る発明は、請求項８に係る映像データ処理方法であって、前記第１のステップでは、前記映像データに含まれる前記ストリームファイルのうち、前記ユーザによって指定された撮像装置によって、前記ユーザによって指定された時間に撮像されたストリームファイルの再生順序を規定するプレイリストを作成し、前記制限情報を前記プレイリストごとに関連付ける、ことを特徴とする。
【００２０】
また、請求項１２に係る発明は、請求項８から請求項１１のいずれか一項に係る映像データ処理方法であって、前記第１のステップでは、特定のユーザを識別するためのユーザ識別情報を受け、再生が許可される範囲を示す再生条件情報とユーザ識別情報とを関連付けて記憶する記憶手段から、前記受けたユーザ識別情報に関連付けられている再生条件情報を取得し、前記取得した再生条件情報によって特定されるストリームファイルの再生順序を規定するプレイリストを作成し、前記制限情報を前記プレイリストごとに関連付ける、ことを特徴とする。
【００２１】
また、請求項１３に係る発明は、コンピュータに、ストリームファイルを含む映像データを受け、前記映像データに含まれる前記ストリームファイルの再生順序を規定するプレイリストを作成し、前記ストリームファイルの再生を再生区間ごとに制限するための制限情報を前記再生区間ごとに関連付ける第１のステップと、再生装置にて制限情報が入力された場合に、前記第１のステップで作成された前記プレイリストによって再生順序が規定された前記ストリームファイルのうち、前記再生装置にて入力された制限情報が関連付けられている再生区間に対応するストリームファイルを再生するための再生制御プログラムを作成する第２のステップと、前記映像データ、前記プレイリスト及び前記再生制御プログラムを可搬性記録媒体に書き込む第３のステップと、を実行させることを特徴とするプログラムである。
【００２２】
また、請求項１４に係る発明は、請求項１３に係るプログラムであって、前記第１のステップでは、前記映像データに含まれる前記ストリームファイルのうちユーザによって選択されたストリームファイルの再生順序を規定するプレイリストを作成し、前記プレイリストに従った前記ストリームファイルの再生を制限するための制限情報を前記プレイリストごとに関連付け、前記第２のステップでは、前記再生装置にて制限情報が入力された場合に前記第１のステップで作成された前記プレイリストのうち前記再生装置にて入力された制限情報が関連付けられているプレイリストに従って前記ストリームファイルを再生するための再生制御プログラムを作成する、ことを特徴とする。
【発明の効果】
【００２３】
本発明によると、ストリームファイルの再生を制限するための制限情報を再生区間ごとに関連付けることで、ストリームファイルの再生を再生区間ごとに個別に制限することができる。例えば、ストリームファイルの再生を制限するための制限情報をプレイリストごとに関連付けることで、ストリームファイルの再生をプレイリストごとに個別に制限することができる。また、本発明によると、可搬性記録媒体に書き込まれた再生制御プログラムによってストリームファイルの再生制限が行われることになるため、再生制限が設定されていない再生装置であってもストリームファイルの再生を制限することが可能となる。例えば、再生制限を行うための専用の再生装置ではない汎用の再生装置であっても、ストリームファイルの再生を個別に制限することができる。
【図面の簡単な説明】
【００２４】
【図１】本発明の実施形態に係る映像データ処理装置を示すブロック図である。
【図２】可搬性記録媒体におけるディレクトリ構成の一例を示す図である。
【図３】再生許可範囲を設定するための設定画面の一例を示す図である。
【図４】プレイリストとストリームファイルとの関係の一例を示す図である。
【図５】プレイリストとストリームファイルとの関係の一例を示す図である。
【図６】映像データ再生時の動作の一例を説明するための図である。
【図７】本発明の実施形態に係る映像データ処理装置を含むシステムの概略を示すブロック図である。
【図８】映像データ再生時の動作の一例を説明するための図である。
【図９】変形例１において再生許可範囲を設定するための設定画面の一例を示す図である。
【図１０】変形例１において映像データ再生時の動作の一例を説明するための図である。
【図１１】変形例２において再生許可範囲を設定するための設定画面の一例を示す図である。
【図１２】変形例２において映像データ再生時の動作の一例を説明するための図である。
【発明を実施するための形態】
【００２５】
図１を参照して、本発明の実施形態に係る映像データ処理装置について説明する。本実施形態に係る映像データ処理装置１は、図示しない映像サーバや撮像装置から映像データを受け、当該映像データに含まれる映像コンテンツを選択してプレイリストファイルを作成し、制限情報に基づいて映像コンテンツの再生を制限する再生制御プログラムを作成する。そして、映像データ処理装置１は、映像データとプレイリストファイルと再生制御プログラムとを可搬性記録媒体２０に書き込む。映像データを記録する可搬性記録媒体２０としては、ＤＶＤ、ＣＤ、Ｂｌｕ−Ｒａｙディスク（ＢＤ）等の光ディスク媒体が想定されるが、不揮発性の半導体メモリ等であってもよい。本実施形態では、一例として、可搬性記録媒体２０はＢｌｕ−Ｒａｙディスク（ＢＤ）として説明する。
【００２６】
本実施形態に係る映像データ処理装置１は、エンコーダ２と、メタデータ解析部３と、パスワード入力部４と、再生条件入力部５と、プレイリスト作成部６と、プログラム作成部７と、書き込み部８とを備えている。また、映像データ処理装置１にはユーザインターフェース９が接続されている。ユーザインターフェース９は、キーボードやマウス等の入力装置と表示装置とを備えている。
【００２７】
エンコーダ２は、図示しない映像サーバや撮像装置から映像データを受け、一例として、当該映像データをＭＰＥＧ２−ＴＳ形式のビデオフォーマットデータに符号化する。例えば、ビルや貸しホール等の建物において、建物の出入口、部屋内、通路、エレベータ内及び管理室内等の各場所に監視用の撮像装置を設置して映像データを撮像し、各場所における映像データを映像サーバに格納しておいてもよい。
【００２８】
ここで、図２を参照して、ＢＤの再生に必要なファイルとディレクトリの構成の一例について説明する。一例として、ルートディレクトリの下にＢＤＭＶディレクトリが設定され、ＢＤＭＶディレクトリの下に、プレイリストディレクトリ（ＰＬＡＹＬＩＳＴ）、クリップディレクトリ（ＣＬＩＰＩＮＦ）、ストリームディレクトリ（ＳＴＲＥＡＭ）、ＪＡＲディレクトリ（ＪＡＲ）及びその他のディレクトリが設定される。
【００２９】
プレイリストディレクトリ（ＰＬＡＹＬＩＳＴ）は、プレイリスト（ＰｌａｙＬｉｓｔ）の再生制御に必要な情報が記述されたプレイリストファイルを格納する。プレイリストファイルは、１以上のプレイアイテムで構成され、プレイアイテムの再生順序を規定する再生リストである。各プレイアイテムは、クリップに対する再生開始点（ＩＮ点）と再生終了点（ＯＵＴ点）とを持つ再生区間指定情報である。プレイリスト内の複数のプレイアイテムを時間軸上で並べることで、それぞれの再生区間の再生順序を指定することができる。
【００３０】
クリップディレクトリ（ＣＬＩＰＩＮＦ）は、ストリームファイルの再生制御に必要な情報が記述されたクリップファイルを格納する。クリップファイルは、ストリームディレクトリ（ＳＴＲＥＡＭ）に格納されるストリームファイルに対応して設定される。クリップファイルとストリームファイルとは１対１に対応しており、例えば、クリップディレクトリ内にクリップファイル“００００１．ｃｌｐｉ”が存在する場合、ストリームディレクトリ内にはストリームファイル“００００１．ｍ２ｔｓ”が存在する。
【００３１】
ストリームディレクトリ（ＳＴＲＥＡＭ）は、映像情報、音声情報、グラフィックス情報等の再生に必要なストリームファイルを格納する。ストリームファイルは、一例としてＭＰＥＧ２−ＴＳ形式で記録されたファイルである。
【００３２】
ＪＡＲディレクトリ（ＪＡＲ）は、Ｊａｖａ（登録商標）を適用した各種のデータ処理プログラムを格納する。
【００３３】
メタデータ解析部３は、映像データに付帯されているメタデータを解析し、解析結果をプレイリスト作成部６とプログラム作成部７とに出力する。ここで、映像データに付帯されているメタデータについて説明する。例えば、映像データが撮像装置によって撮像された日付や曜日や時刻を示す時間情報、映像データを撮像した撮像装置に関するチャンネル情報（撮像装置の名称、撮像装置の設置場所、チャンネル（ｃｈ）の番号等）、イベントに関するイベント情報等が、メタデータに含まれる。例えば、人の動き、停電、センサー作動等がイベントに該当する。イベント情報には、各イベントが発生した時間（日付、曜日、時刻）を示す情報が含まれる。メタデータ解析部３は、メタデータを解析し、時間情報、チャンネル情報及びイベント情報等をプレイリスト作成部６とプログラム作成部７とに出力する。
【００３４】
パスワード入力部４は、プレイリストごとにストリームファイルの再生を制限するための制限情報の入力を受け付ける。制限情報は、一例としてパスワードが該当する。例えば、管理者等のユーザがユーザインターフェース９の入力装置を用いて制限情報を入力し、パスワード入力部４はユーザインターフェース９から制限情報を受け付ける。パスワード入力部４は、制限情報をプレイリスト作成部６とプログラム作成部７とに出力する。
【００３５】
再生条件入力部５は、映像データのうち制限情報を用いて再生が許可される範囲を示す再生条件情報の入力を受け付ける。再生条件情報には、映像データが撮像された時間（日付、曜日、時刻）を示す時間情報と、映像データを撮像した撮像装置に関するチャンネル情報（撮像装置の名称、撮像装置の設置場所、チャンネル（ｃｈ）の番号等）とが含まれる。再生条件として指定された時間（日付、曜日、時刻）に、再生条件として指定された撮像装置（チャンネル）によって撮像されたストリームファイルの再生が、制限情報を用いて許可される。このように、制限情報によって再生制限が解除されて再生が許可されるストリームファイルが、再生条件によって特定されることになる。例えば、ユーザがユーザインターフェース９の入力装置を用いて再生条件情報を入力し、再生条件入力部５はユーザインターフェース９から再生条件情報を受け付ける。このように、ユーザが再生条件情報を入力することで、制限情報によって再生が許可されるストリームファイルを選択することになる。再生条件入力部５は、再生条件情報をプレイリスト作成部６とプログラム作成部７とに出力する。
【００３６】
プレイリスト作成部６は、再生条件情報が示す再生条件に合致するストリームファイルの再生順序を規定するプレイリストファイルを作成し、プレイリストファイルと制限情報とを関連付ける。すなわち、プレイリスト作成部６は、再生条件として指定された時間（日付、曜日、時刻）に、再生条件として指定された撮像装置（チャンネル）によって撮像されたストリームファイルの再生順序を規定するプレイリストファイルを作成し、プレイリストファイルと制限情報とを関連付ける。プレイリスト作成部６は、プレイリストファイルをプログラム作成部７と書き込み部８とに出力する。
【００３７】
プログラム作成部７は、再生装置にてストリームファイルを再生するための再生制御プログラムを作成する。この再生制御プログラムは、再生装置にて入力された制限情報とプレイリストファイルに関連付けられている制限情報とを照合し、再生装置にて入力された制限情報が関連付けられているプレイリストファイルが示すプレイリストに従ってストリームファイルを再生するためのプログラムである。すなわち、再生制御プログラムは、再生装置にて入力された制限情報に基づいてストリームファイルに対する再生制限を解除し、再生制限が解除されたプレイリストファイルが示すプレイリストに従ってストリームファイルを再生するためのプログラムである。このように、再生制御プログラムは、制限情報とプレイリストファイルとに基づいて映像データの再生を制限し、再生装置にて入力された制限情報に対応するプレイリストファイルのみを再生するためのプログラムである。例えば、プログラム作成部７は、ＪＡＶＡ（登録商標）を適用した再生制御プログラム（ＢＤ−Ｊアプリケーション）を作成する。プログラム作成部７は、再生制御プログラムを書き込み部８に出力する。
【００３８】
書き込み部８は、ストリームファイル、クリップファイル、プレイリストファイル及び再生制御プログラムを、ＢＤ等の可搬性記録媒体２０に書き込んで記録する。
【００３９】
次に、図３から図５を参照して、本実施形態に係る映像データ処理装置の動作について説明する。図３は、再生許可範囲を設定するための設定画面の一例であり、制限情報と再生条件情報とを入力するための設定画面の一例である。図４及び図５は、プレイリストとストリームファイルとの関係の一例を示す図である。
【００４０】
映像データ処理装置１によって映像データを可搬性記録媒体２０に記録する場合、ユーザインターフェース９の表示装置は、例えば図３に示すように、制限情報と再生条件情報とを入力するための設定画面１００を表示する。設定画面１００は、複数の映像データの中から書き込みの対象となる映像データを選択するための映像データ選択欄１０１と、制限情報と再生条件情報とを入力するための第１の設定欄１１０及び第２の設定欄１２０を含む。第１の設定欄１１０は、制限情報としてのパスワードを入力するためのパスワード入力欄１１１と、映像データを撮像した撮像装置（チャンネル）を指定するためのチャンネル指定欄１１２と、映像データが撮像された曜日を指定するための曜日指定欄１１３と、映像データが撮像された時間帯を指定するための時間帯指定欄１１４と、を含む。第２の設定欄１２０も第１の設定欄１１０と同様に、パスワード入力欄１２１とチャンネル指定欄１２２と曜日指定欄１２３と時間帯指定欄１２４とを含む。また、設定画面１００において、書き込みの対象となる映像データが撮像された期間（年月日時分秒）を指定することができる。なお、第１の設定欄１１０及び第２の設定欄１２０に、映像データが撮像された日付（年月日）を指定するための日付指定欄が含まれていてもよい。
【００４１】
チャンネル指定欄１１２，１２２に表記されているチャンネルｃｈは、撮像装置が設置されている場所（映像データが撮像された場所）に対応している。例えば、チャンネルｃｈ１はマルチ画面に対応し、チャンネルｃｈ２は建物の１Ｆ共用部に設置された撮像装置（１Ｆ共用部で撮像された映像データ）に対応し、チャンネルｃｈ３は２Ｆ電算室に設置された撮像装置（２Ｆ電算室で撮像された映像データ）に対応し、チャンネルｃｈ４は３Ｆ管理室に設置された撮像装置（３Ｆ管理室で撮像された映像データ）に対応している。
【００４２】
第１の設定欄１１０に入力された制限情報と再生条件情報とに対応するプレイリストファイルがプレイリスト作成部６によって作成され、第２の設定欄１２０に入力された制限情報と再生条件情報とに対応するプレイリストファイルがプレイリスト作成部６によって作成される。なお、図３に示す例では、第１の設定欄１１０と第２の設定欄１２０とが設定画面１００に含まれているが、１又は複数の設定欄が設定画面１００に含まれてもよい。
【００４３】
管理者等のユーザは、ユーザインターフェース９の入力装置を用いて、閲覧者に割り当てるパスワードを制限情報としてパスワード入力欄１１１（１２１）に入力し、当該パスワードによってストリームファイルの再生制限が解除されて再生が許可されるチャンネルをチャンネル指定欄１１２（１２２）で指定し、再生が許可される曜日を曜日指定欄１１３（１２３）で指定し、再生が許可される時間帯を時間帯指定欄１１４（１２４）に入力する。なお、時間帯指定欄１１４（１２４）に時間帯が入力されなかった場合、すべての時間帯（０：００〜２４：００）が再生許可の時間帯として指定されたものとして扱われる。プレイリスト作成部６は、設定画面１００にて設定された再生条件（チャンネル、曜日及び時間帯）に合致するストリームファイルの再生順序を規定するプレイリストファイルを作成し、当該プレイリストファイルにパスワードを関連付ける。すなわち、プレイリスト作成部６は、再生条件情報が示す時間（曜日、時間帯）に、再生条件情報が示すチャンネル（撮像装置）によって撮像されたストリームファイルの再生順序を規定するプレイリストファイルを作成し、当該プレイリストファイルにパスワードを関連付ける。
【００４４】
一例として、第１の設定欄１１０において、パスワード入力欄１１１にパスワードとして「００００」からなる文字列が入力され、チャンネル指定欄１１２において「ｃｈ１、ｃｈ２、ｃｈ３、ｃｈ４」が指定され、曜日指定欄１１３において「日、月、火、水、木、金、土」が指定されており、時間帯指定欄１１４には時間帯が入力されていない。すなわち、すべてのチャンネル（撮像装置）、すべての曜日及びすべての時間帯が指定されている。この場合、プレイリスト作成部６は、チャンネルｃｈ１〜チャンネルｃｈ４のそれぞれについて、日曜日〜土曜日に撮像されたストリームファイルの再生順序を規定するプレイリストファイルを作成し、当該プレイリストファイルにパスワード「００００」を関連付ける。図４に、第１の設定欄１１０に入力された再生条件に従って作成されるプレイリストファイルとストリームファイルとの関係を示す。プレイリスト作成部６は、チャンネルｃｈ１〜ｃｈ４のすべてのチャンネルについて、日曜日〜土曜日に撮像されたストリームファイル（Ｓｔｒｅａｍ１（日）〜Ｓｔｒｅａｍ７（土））を時間順に再生するためのプレイリストファイル２００を作成する。
【００４５】
また、別の例として、第２の設定欄１２０において、パスワード入力欄１２１にパスワードとして「１２３４」からなる文字列が入力され、チャンネル指定欄１２２において「ｃｈ１」が指定され、曜日指定欄１２３において「月、火、水、木、金」が指定されており、時間帯指定欄１２４に「０９：００〜１７：００」の時間帯が入力されている。この場合、プレイリスト作成部６は、チャンネルｃｈ１に対応する撮像装置によって月曜日〜金曜日の９：００〜１７：００の時間帯に撮像されたストリームファイルの再生順序を規定するプレイリストファイルを作成し、当該プレイリストファイルにパスワード「１２３４」を関連付ける。図５に、第２の設定欄１２０に入力された再生条件に従って作成されるプレイリストファイルとストリームファイルとの関係を示す。プレイリスト作成部６は、チャンネルｃｈ１について、月曜日〜金曜日の９：００〜１７：００の時間帯に撮像されたストリームファイルを時間順に再生するためのプレイリストファイル２１０を作成する。より具体的に説明すると、プレイリスト作成部６は、チャンネルｃｈ１について月曜日に撮像されたストリームファイル（Ｓｔｒｅａｍ２（月））から９：００〜１７：００の時間帯に撮像されたストリームファイルを選択する。同様に、プレイリスト作成部６は、チャンネルｃｈ１について火曜日〜金曜日のそれぞれに撮像されたストリームファイル（Ｓｔｒｅａｍ３〜５）から９：００〜１７：００の時間帯に撮像されたストリームファイルを選択する。そして、プレイリスト作成部６は、チャンネルｃｈ１について月曜日〜金曜日の９：００〜１７：００の時間帯に撮像されたストリームファイルを時間順に再生するためのプレイリストファイル２１０を作成する。
【００４６】
図３〜５に示す例では、プレイリスト作成部６は、プレイリストファイル２００，２１０をプログラム作成部７に出力する。プログラム作成部７は、再生制限をパスワードに基づいて解除してプレイリストに従ってストリームファイルを再生するための再生制御プログラムを作成する。例えば、この再生制御プログラムは、プレイリストファイル２００が示すプレイリストに従ったストリームファイルの再生に対する制限を、プレイリストファイル２００に対するパスワード「００００」に基づいて解除し、プレイリストファイル２１０が示すプレイリストに従ったストリームファイルの再生に対する制限を、プレイリストファイル２１０に対するパスワード「１２３４」に基づいて解除し、制限が解除されたプレイリストに従ってストリームファイルを再生するためのプログラムである。すなわち、再生制御プログラムは、再生装置にてパスワード「００００」が入力されると、パスワード「００００」が関連付けられているプレイリストファイル２００が示すプレイリストに従ってストリームファイルを再生し、再生装置にてパスワード「１２３４」が入力されると、パスワード「１２３４」が関連付けられているプレイリストファイル２１０が示すプレイリストに従ってストリームファイルを再生するためのプログラムである。書き込み部８は、ストリームファイル、クリップファイル、プレイリストファイル２１０，２２０及び再生制御プログラムを、ＢＤ等の可搬性記録媒体２０に書き込んで記録する。
【００４７】
以上のようにして映像データ処理装置１によって可搬性記録媒体２０が作成されると、管理者等は、映像データの視聴を希望するユーザ等に可搬性記録媒体２０を配布する。また、管理者等は、プレイリストファイルの再生制限を解除するための制限情報を、視聴を希望するユーザに通知する。例えば、可搬性記録媒体２０に記録された映像データが監視用の映像データである場合、ビルのオーナー等の管理者が、映像データの視聴を希望するユーザ（例えばビルのテナントを借りている利用者）に可搬性記録媒体２０を配布し、プレイリストファイルの再生制限を解除するための制限情報を当該ユーザに通知することが考えられる。
【００４８】
次に、本実施形態に係る映像データ処理装置１によって作成された可搬性記録媒体２０を再生する再生装置の動作について説明する。
【００４９】
まず、図６を参照して、再生時における動作の概要を説明する。例えば図６に示すように、プレイリストファイルＡ，Ｂ，Ｃが作成され、ストリームファイル１〜５（Ｓｔｒｅａｍ１〜５）とプレイリストファイルＡ，Ｂ，Ｃとが可搬性記録媒体２０に記録されている場合について説明する。プレイリストファイルＡにはストリームファイル１〜５（Ｓｔｒｅａｍ１〜５）が含まれ、パスワード「１１１１１」がプレイリストファイルＡに関連付けられている。また、プレイリストファイルＢにはストリームファイル４，５（Ｓｔｒｅａｍ４，５）が含まれ、パスワード「１２３４５」がプレイリストファイルＢに関連付けられている。また、プレイリストファイルＣにはストリームファイル２，３（Ｓｔｒｅａｍ２，３）が含まれ、パスワード「９９９９９」がプレイリストファイルＣに関連付けられている。
【００５０】
映像データの視聴を希望するユーザは可搬性記録媒体２０を再生装置３０に挿入し、映像データの再生を指示する。再生装置３０は、再生制限を行うための専用の装置ではなく、市販されている汎用のＢＤプレーヤー（ブルーレイディスクプレーヤー）でよい。再生装置３０は例えばＣＰＵ３１を備えており、ＣＰＵ３１が可搬性記録媒体２０に記録されている再生制御プログラムを読み込んで実行することで、再生制御プログラムによる機能が実現される。これにより、ＣＰＵ３１は、再生制御プログラムの機能を実現する再生制御部として機能する。ユーザは、リモコン等の図示しない入力装置を用いて、制限情報としてのパスワードを入力する。ＣＰＵ３１（再生制御部）は、入力装置から入力されたパスワードを受け、可搬性記録媒体２０に記録されているプレイリストファイルに関連付けられているパスワードと入力されたパスワードとを照合し、パスワードが一致するプレイリストファイルが示すプレイリストに従ってストリームファイルを再生する。すなわち、ＣＰＵ３１（再生制御部）は、再生装置３０にて入力されたパスワードが関連付けられているプレイリストファイルが示すプレイリストに従ってストリームファイルを再生する。例えば、プレイリストファイルとパスワードとの関連付けを示すリストを作成しておき、ＣＰＵ３１（再生制御部）は、当該リストを参照することで、再生装置３０にて入力されたパスワードが関連付けられているプレイリストファイルを特定し、当該プレイリストファイルが示すプレイリストに従ってストリームファイルを再生する。なお、プレイリストファイルとパスワードとの関連付けを示すリストは、プログラム作成部７によって作成されてもよいし、プレイリスト作成部７によって作成されてもよい。
【００５１】
例えば、パスワードとして「１１１１１」からなる文字列が再生装置３０に入力された場合、ＣＰＵ３１（再生制御部）は、パスワード「１１１１１」が関連付けられているプレイリストファイルＡが示すプレイリストに従ってストリームファイルを再生する。この場合、ストリームファイル１〜５（Ｓｔｒｅａｍ１〜５）の再生が許可されることになる。
【００５２】
また、パスワードとして「１２３４５」からなる文字列が再生装置３０に入力された場合、ＣＰＵ３１（再生制御部）は、パスワード「１２３４５」が関連付けられているプレイリストファイルＢが示すプレイリストに従ってストリームファイルを再生する。この場合、ストリームファイル４，５（Ｓｔｒｅａｍ４，５）の再生が許可されることになる。
【００５３】
また、パスワードとして「９９９９９」からなる文字列が再生装置３０に入力された場合、ＣＰＵ３１（再生制御部）は、パスワード「９９９９９」が関連付けられているプレイリストファイルＣが示すプレイリストに従ってストリームファイルを再生する。この場合、ストリームファイル２，３（Ｓｔｒｅａｍ２，３）の再生が許可されることになる。
【００５４】
次に、図７及び図８を参照して、再生時における動作の具体例を説明する。図７に示すように、本実施形態に係る映像データ処理装置１は、映像サーバ４０から映像データを受け、上述したようにプレイリストファイルと再生制御プログラムとを作成し、ストリームファイル、クリップファイル、プレイリストファイル及び再生制御プログラムを可搬性記録媒体２０に書き込んで記録する。そして、例えば、管理者等は、映像データの視聴を希望するユーザＡ，Ｂ，Ｃに可搬性記録媒体２０を配布し、再生可能なストリームファイルをユーザごとに変えるために、ユーザＡ，Ｂ，Ｃにそれぞれ異なるパスワードを通知する。例えば、ユーザＡには「００００」からなる文字列をパスワードとして通知し、ユーザＢには「１２３４」からなる文字列をパスワードとして通知し、ユーザＣには「１３５７」からなる文字列をパスワードとして通知する。パスワード「００００」は、図４に示すプレイリストファイル２００に従ったストリームファイルの再生に対する制限を解除するためのパスワードである。パスワード「１２３４」は、図５に示すプレイリストファイル２１０に従ったストリームファイルの再生に対する制限を解除するためのパスワードである。パスワード「１３５７」は、チャンネルｃｈ１，ｃｈ３について月曜日〜金曜日の９：００〜１７：００の時間帯に撮像されたストリームファイルを再生するためのプレイリストファイルに関連付けられているパスワードである。
【００５５】
そして、ユーザＡ，Ｂ，Ｃはそれぞれ可搬性記録媒体２０を再生装置３０に挿入し、映像データの再生を指示する。例えば図８に示すように、ＣＰＵ３１（再生制御部）は、制限情報を入力するためのパスワード入力画面３００を再生装置３０に接続されている表示装置に表示させる。
【００５６】
ユーザＡが、パスワードとして「００００」からなる文字列を再生装置３０に入力した場合、ＣＰＵ３１（再生制御部）は、パスワード「００００」が関連付けられているプレイリストファイル２００が示すプレイリストに従ってストリームファイルを再生する。これにより、チャンネルｃｈ１〜ｃｈ４のすべてについて、すべての曜日のすべての時間帯に撮像されたストリームファイルの再生が許可されることになる。
【００５７】
また、ユーザＢが、パスワードとして「１２３４」からなる文字列を再生装置３０に入力した場合、ＣＰＵ３１（再生制御部）は、パスワード「１２３４」が関連付けられているプレイリストファイル２１０が示すプレイリストに従ってストリームファイルを再生する。これにより、チャンネルｃｈ１について月曜日〜金曜日の９：００〜１７：００の時間帯に撮像されたストリームファイルの再生が許可されることになる。この場合、再生装置３０にてチャンネルをチャンネルｃｈ２〜ｃｈ４に切り替えることができず、また、月曜日〜金曜日の９：００〜１７：００以外の時間帯に撮像されたストリームファイルは、スキップされて再生されない。
【００５８】
また、ユーザＣが、パスワードとして「１３５７」からなる文字列を再生装置３０に入力した場合、ＣＰＵ３１（再生制御部）は、パスワード「１３５７」が関連付けられているプレイリストファイルが示すプレイリストに従ってストリームファイルを再生する。これにより、チャンネルｃｈ１，ｃｈ３について月曜日〜金曜日の９：００〜１７：００の時間帯に撮像されたストリームファイルの再生が許可されることになる。この場合、再生装置３０にてチャンネルをチャンネルｃｈ２，ｃｈ４に切り替えることができず、また、月曜日〜金曜日の９：００〜１７：００以外の時間帯に撮像されたストリームファイルは、スキップされて再生されない。
【００５９】
以上のように、本実施形態に係る映像データ処理装置１によると、ストリームファイルの再生を制限するための制限情報をプレイリストごとに関連付けることで、ストリームファイルの再生をプレイリストごとに個別に制限することができる。例えば、再生が許可されるチャンネル（撮像装置）及び時間（日付、曜日、時間帯）を制限することができ、再生が許可されるチャンネル及び時間をパスワードに応じて変えることができる。また、制限情報に基づいて再生制限を解除してプレイリストに従ってストリームファイルを再生するための再生制御プログラムを作成し、映像データ及びプレイリストとともに再生制御プログラムを可搬性記録媒体２０に書き込んでおくことで、再生装置にて再生の制限及び制限の解除が再生制御プログラムによって行われることになるため、再生制限が設定されていない汎用の再生装置であっても、ストリームファイルの再生を制限し、また、制限情報に基づいて再生制限を解除してストリームファイルを再生することが可能となる。すなわち、再生制御プログラムを可搬性記録媒体２０に書き込んでおくことで、再生制限を行うための専用の再生装置ではなく汎用の再生装置（例えば市販されている汎用のＢＤプレーヤー）であっても、ストリームファイルの再生制限を個別に行うことが可能となる。
【００６０】
例えば、図７及び図８を参照して説明したように、ユーザＡ，Ｂ，Ｃに対してそれぞれ異なるパスワードを通知することで、再生が可能となる映像データの範囲をユーザごとに変えることができる。従って、１つの可搬性記録媒体２０をユーザＡ，Ｂ，Ｃに回覧する場合であっても、各ユーザに対してそれぞれ異なるパスワードを通知することで、パスワードに応じて異なるプレイリストが再生されることになるため、再生が可能となる映像データの範囲をユーザごとに変えることができる。または、同じ内容の映像データを複数の可搬性記録媒体２０のそれぞれに記録し、各可搬性記録媒体２０を各ユーザに配布した場合であっても、各ユーザに対してそれぞれ異なるパスワードを通知することで、再生が可能となる映像データの範囲をユーザごとに変えることができる。
【００６１】
例えば、ビルのテナントを借りているユーザが監視用映像データの視聴を希望する場合に、視聴を希望するユーザに、すべてのチャンネルについてすべての時間に撮像された映像データを視聴させることが好ましくない場合がある。この場合、ユーザが視聴を希望するチャンネル及び時間（日付、曜日、時間帯）に撮像されたストリームファイルを再生するためのプレイリストファイルを作成しておき、当該プレイリストファイルにパスワードを関連付けておく。そして、可搬性記録媒体２０をユーザに配布するとともに、当該パスワードをユーザに通知する。これにより、ユーザが視聴を希望する範囲のストリームファイルのみを、当該ユーザに視聴させることができる。
【００６２】
例えば、ユーザが借りているテナントの周辺に設置されている撮像装置（チャンネル）によって撮像されたストリームファイルのみを再生するためのプレイリストファイルを作成しておき、当該プレイリストファイルにパスワードを関連付けておく。これにより、可搬性記録媒体２０とパスワードとを受け取ったユーザに、当該ユーザが借りているテナント周辺のストリームファイルのみを視聴させることができ、テナント周辺以外で撮像されたストリームファイルを視聴させずに済む。
【００６３】
また、ユーザが借りているテナントの周辺に設置されている撮像装置（チャンネル）によってテナントの営業日に撮像されたストリームファイルのみを再生するためのプレイリストファイルを作成しておき、当該プレイリストファイルにパスワードを関連付けておく。これにより、可搬性記録媒体２０とパスワードを受け取ったユーザに、当該ユーザが借りているテナント周辺において営業日に撮像されたストリームファイルのみを視聴させることができ、テナント周辺以外で撮像されたストリームファイル及び営業日以外に撮像されたストリームファイルを視聴させずに済む。
【００６４】
また、貸しホール等のように、曜日又は時間帯によって利用するユーザが異なる建物がある。この場合、ユーザが貸しホールを利用した特定の曜日及び時間帯に撮像されたストリームファイルのみを再生するためのプレイリストファイルを作成しておき、当該プレイリストファイルにパスワードを関連付けておく。これにより、可搬性記録媒体２０とパスワードとを受け取ったユーザに、当該ユーザが貸しホールを利用した特定の曜日及び時間帯に撮像されたストリームファイルのみを視聴させることができ、特定の曜日及び時間帯以外に撮像されたストリームファイルを視聴させずに済む。
【００６５】
以上のように、映像データのうち再生可能な範囲をパスワードに応じて変えることができるため、各ユーザ用の可搬性記録媒体を個別に作成しなくて済み、その結果、可搬性記録媒体の作成時に要する作業量を削減することができる。例えば、チャンネルごとや曜日ごとや時間帯ごとの可搬性記録媒体を作成する必要がなく、１つの可搬性記録媒体２０を作成するだけで、再生可能な範囲をユーザ（パスワード）ごとに変えることができる。この点について詳しく説明する。従来においては、映像データのうち再生可能な範囲をユーザごとに変えるためには、可搬性記録媒体ごとに格納するストリームファイルを変え、可搬性記録媒体を個別に作成して配布する必要があった。例えば、図７及び図８を参照して説明したように、チャンネルｃｈ１について月曜日〜金曜日の９：００〜１７：００の時間帯に撮像されたストリームファイルのみを、可搬性記録媒体を用いてユーザＢに視聴させたい場合、従来においては、チャンネルｃｈ１について月曜日〜金曜日の９：００〜１７：００の時間帯に撮像されたストリームファイルのみを可搬性記録媒体に格納してユーザＢに配布する必要があった。また、チャンネルｃｈ１，ｃｈ３について月曜日〜金曜日の９：００〜１７：００の時間帯に撮像されたストリームファイルのみを、可搬性記録媒体を用いてユーザＣに視聴させたい場合、従来においては、チャンネルｃｈ１，ｃｈ３について月曜日〜金曜日の９：００〜１７：００の時間帯に撮像されたストリームファイルのみを可搬性記録媒体に格納してユーザＣに配布する必要があった。また、映像データのすべてを可搬性記録媒体を用いてユーザＡに視聴させたい場合、従来においては、映像データのすべてが格納された可搬性記録媒体をユーザＡに配布する必要があった。このように、ユーザＡ，Ｂ，Ｃに対してそれぞれ異なる範囲のストリームファイルを視聴させる場合、従来においては、それぞれ異なる範囲のストリームファイルが格納された可搬性記録媒体を作成する必要があった。上記の例では、３種類の可搬性記録媒体を作成する必要がある。これに対して、本実施形態に係る映像データ処理装置１によると、１種類の可搬性記録媒体を作成するだけで、再生可能な範囲をユーザＡ，Ｂ，Ｃごとに変えることができるため、ユーザごとに可搬性記録媒体を作成する必要がなく、その結果、可搬性記録媒体の作成時に要する作業量を削減することができる。
【００６６】
上述したビルや貸しホール等の建物で撮像された映像データを例にして説明すると、ビルのオーナーや貸しホールの管理者は、１つの可搬性記録媒体２０を作成するだけで、ユーザごとに視聴可能な範囲を変えて、視聴が許可されたストリームファイルのみをユーザに視聴させることができる。
【００６７】
（変形例１）
次に、図９及び図１０を参照して変形例１について説明する。図９は、変形例１において再生許可範囲を設定するための設定画面の一例であり、制限情報と再生条件情報とを入力するための設定画面の一例である。図１０は、変形例１において映像データ再生時の動作の一例を説明するための図である。
【００６８】
例えば図９に示すように、ユーザインターフェース９の表示装置は、制限情報と再生条件情報とを入力するための設定画面４００を表示装置に表示する。設定画面４００は、再生が許可されるチャンネルを設定するための画面であり、設定画面４００では、映像データを撮像した撮像装置（チャンネル）を指定することができる。例えば、設定画面４００は、制限情報と再生条件情報とを入力するための第１の設定欄４１０、第２の設定欄４２０、第３の設定欄４３０及び第４の設定欄４４０を含む。第１〜第４の設定欄４１０〜４４０はそれぞれ、制限情報としてのパスワードを入力するためのパスワード入力欄と、映像データを撮像した撮像装置（チャンネル）を指定するためのチャンネル指定欄とを含む。なお、図９に示す例では、第１〜第４の設定欄４１０〜４４０が設定画面４００に含まれているが、１又は複数の設定欄が設定画面４００に含まれていればよい。
【００６９】
管理者等のユーザは、ユーザインターフェース９の入力装置を用いて、閲覧者に割り当てるパスワードを制限情報としてパスワード入力欄に入力し、当該パスワードによってストリームファイルの再生制限が解除されて再生が許可されるチャンネルをチャンネル指定欄で指定する。プレイリスト作成部６は、設定画面４００にて設定された再生条件（チャンネル）に合致するストリームファイルの再生順序を規定するプレイリストファイルを作成し、当該プレイリストファイルにパスワードを関連付ける。
【００７０】
一例として、第１の設定欄４１０において、パスワード入力欄にパスワードとして「００００」からなる文字列が入力され、チャンネル指定欄において「ｃｈ１、ｃｈ２、ｃｈ３、ｃｈ４」が指定されている。この場合、プレイリスト作成部６は、チャンネルｃｈ１〜ｃｈ４のそれぞれについて、ストリームファイルの再生順序を規定するプレイリストファイルを作成し、当該プレイリストファイルにパスワード「００００」を関連付ける。
【００７１】
また、別の例として、第２の設定欄４２０において、パスワード入力欄にパスワードとして「１２３４」からなる文字列が入力され、チャンネル指定欄において「ｃｈ２」が指定されている。この場合、プレイリスト作成部６は、チャンネルｃｈ２について、ストリームファイルの再生順序を規定するプレイリストファイルを作成し、当該プレイリストファイルにパスワード「１２３４」を関連付ける。
【００７２】
また、別の例として、第３の設定欄４３０において、パスワード入力欄にパスワードとして「１３５７」からなる文字列が入力され、チャンネル指定欄において「ｃｈ１，ｃｈ３」が指定されている。この場合、プレイリスト作成部６は、チャンネルｃｈ１，ｃｈ３のそれぞれについて、ストリームファイルの再生順序を規定するプレイリストファイルを作成し、当該プレイリストファイルにパスワード「１３５７」を関連付ける。
【００７３】
プログラム作成部７によって作成される再生制御プログラムは、第１〜第３の設定欄４１０〜４３０に入力された情報に基づいてそれぞれ作成されたプレイリストファイルに対する再生制限を制限情報に基づいて解除し、制限が解除されたプレイリストファイルに従ってストリームファイルを再生するためのプログラムである。書き込み部８は、ストリームファイル、クリップファイル、プレイリストファイル及び再生制御プログラムを、ＢＤ等の可搬性記録媒体２０に書き込んで記録する。
【００７４】
以上のようにして作成された可搬性記録媒体２０が再生装置３０に挿入されて、図１０に示すように、パスワードとして「００００」が入力された場合、ＣＰＵ３１（再生制御部）は、パスワード「００００」が関連付けられているプレイリストファイルが示すプレイリストに従ってストリームファイルを再生する。この場合、全チャンネル（チャンネルｃｈ１〜ｃｈ４）のストリームファイルの再生が許可されることになる。
【００７５】
また、パスワードとして「５６７８」が入力された場合、ＣＰＵ３１（再生制御部）は、パスワード「５６７８」が関連付けられているプレイリストファルが示すプレイリストに従ってストリームファイルを再生する。この場合、チャンネルｃｈ２に対応するストリームファイルのみの再生が許可されることになる。
【００７６】
また、パスワードとして「１３５７」が入力された場合、ＣＰＵ３１（再生制御部）は、パスワード「１３５７」が関連付けられているプレイリストファイルが示すプレイリストに従ってストリームファイルを再生する。この場合、チャンネルｃｈ１，ｃｈ３のそれぞれに対応するストリームファイルのみの再生が許可されることになる。
【００７７】
以上のように、変形例１によると、再生が許可されるチャンネル（撮像装置）をパスワードに応じて変えることができる。すなわち、指定されたチャンネル（撮像装置）によって撮像されたストリームファイルのみの再生を許可することができる。
【００７８】
（変形例２）
次に、図１１及び図１２を参照して変形例２について説明する。図１１は、変形例２において再生許可範囲を設定するための設定画面の一例であり、制御情報と再生条件情報とを入力するための設定画面の一例である。図１２は、変形例２において映像データ再生時の動作の一例を説明するための図である。
【００７９】
例えば図１１に示すように、ユーザインターフェース９の表示装置は、制限情報と再生条件情報とを入力するため設定画面５００を表示する。設定画面５００は、再生が許可される時間を設定するための画面であり、設定画面５００では、映像データが撮像された時間（曜日、時間帯）を指定することができる。例えば、設定画面５００は、制限情報と再生条件情報とを入力するための第１の設定欄５１０、第２の設定欄５２０及び第３の設定欄５３０を含む。また、設定画面５００は、映像データを撮像した撮像装置（チャンネル）を指定するためのチャンネル指定欄５４０を含む。第１〜第３の設定欄５１０〜５３０はそれぞれ、制限情報としてのパスワードを入力するためのパスワード入力欄と、映像データが撮像された時間帯を指定するための時間帯指定欄と、映像データが撮像された曜日を指定するための曜日指定欄とを含む。なお、図１１に示す例では、第１〜第３の設定欄５１０〜５３０が設定画面５００に含まれているが、１又は複数の設定欄が設定画面５００に含まれていればよい。また、第１〜第３の設定欄５１０〜５３０に、映像データが撮像された日付（年月日）を指定するための日付指定欄が含まれていてもよい。
【００８０】
管理者等のユーザは、ユーザインターフェース９の入力装置を用いて、閲覧者に割り当てるパスワードを制限情報としてパスワード入力欄に入力し、当該パスワードによってストリームファイルの再生制限が解除されて再生が許可される時間帯及び曜日を、時間帯指定欄及び曜日指定欄にそれぞれ入力する。また、ユーザは、ユーザインターフェース９の入力装置を用いて、再生が許可されるチャンネルをチャンネル指定欄５４０で指定してもよい。チャンネル指定欄５４０で指定されたチャンネルのストリームファイルが書き込みの対象となる。なお、図１１に示す例では、すべてのチャンネル（ｃｈ１〜ｃｈ４）が指定されている。プレイリスト作成部６は、設定画面５００にて設定された再生条件（時間帯、曜日、チャンネル）に合致するストリームファイルの再生順序を規定するプレイリストファイルを作成し、当該プレイリストファイルにパスワードを関連付ける。
【００８１】
一例として、第１の設定欄５１０において、パスワード入力欄にパスワードとして「００００」からなる文字列が入力され、曜日指定欄において「日、月、火、水、木、金、土」が指定されており、時間帯指定欄には時間帯が入力されていない。この場合、プレイリスト作成部６は、チャンネルｃｈ１〜ｃｈ４のそれぞれについて、日曜日〜土曜日に撮像されたストリームファイルの再生順序を規定するプレイリストファイルを作成し、当該プレイリストファイルにパスワード「００００」を関連付ける。
【００８２】
また、別の例として、第２の設定欄５２０において、パスワード入力欄にパスワードとして「５６７８」からなる文字列が入力され、曜日指定欄において「月、火、水、木、金」が指定されており、時間帯指定欄には時間帯が入力されていない。この場合、プレイリスト作成部６は、チャンネルｃｈ１〜ｃｈ４のそれぞれについて、月曜日〜金曜日に撮像されたストリームファイルの再生順序を規定するプレイリストファイルを作成し、当該プレイリストファイルにパスワード「５６７８」を関連付ける。
【００８３】
また、別の例として、第３の設定欄５３０において、パスワード入力欄にパスワードとして「２４６８」からなる文字列が入力され、時間帯指定欄に「０９：００〜１７：００」が入力され、曜日指定欄において「日、月、火、水、木、金、土」が指定されている。この場合、プレイリスト作成部６は、チャンネルｃｈ１〜ｃｈ４のそれぞれについて、日曜日〜土曜日の９：００〜１７：００の時間帯に撮像されたストリームファイルの再生順序を規定するプレイリストファイルを作成し、当該プレイリストファイルにパスワード「２４６８」を関連付ける。
【００８４】
プログラム作成部７によって作成される再生制御プログラムは、第１〜第３の設定欄５１０〜５３０に入力された情報に基づいてそれぞれ作成されたプレイリストファイルに対する再生制限を制限情報に基づいて解除し、制限が解除されたプレイリストファイルに従ってストリームファイルを再生するためのプログラムである。書き込み部８は、ストリームファイル、クリップファイル、プレイリストファイル及び再生制御プログラムを、ＢＤ等の可搬性記録媒体２０に書き込んで記録する。
【００８５】
以上のようにして作成された可搬性記録媒体２０が再生装置３０に挿入されて、図１２に示すように、パスワードとして「００００」が入力された場合、ＣＰＵ３１（再生制御部）は、パスワード「００００」が関連付けられているプレイリストファイルが示すプレイリストに従ってストリームファイルを再生する。この場合、チャンネルｃｈ１〜ｃｈ４のすべてについて、すべての時間帯に撮像されたストリームファイルの再生が許可されることになる。
【００８６】
また、パスワードとして「５６７８」が入力された場合、ＣＰＵ３１（再生制御部）は、パスワード「５６７８」が関連付けられているプレイリストファイルが示すプレイリストに従ってストリームファイルを再生する。この場合、チャンネルｃｈ１〜ｃｈ４のすべてについて、月曜日から金曜日に撮像されたストリームファイルのみの再生が許可されることになる。
【００８７】
また、パスワードとして「２４６８」が入力された場合、ＣＰＵ３１（再生制御部）は、パスワード「２４６８」が関連付けられているプレイリストファイルが示すプレイリストに従ってストリームファイルを再生する。この場合、チャンネルｃｈ１〜ｃｈ４のすべてについて、金曜日の９：００〜１７：００に撮像されたストリームファイルのみの再生が許可されることになる。
【００８８】
以上のように、変形例２によると、再生が許可される時間（曜日、時間帯）をパスワードに応じて変えることができる。すなわち、指定された時間に撮像されたストリームファイルのみの再生を許可することができる。
【００８９】
なお、上述した実施形態及び変形例１，２の別の例として、プレイリスト作成部６は、ユーザによって指定されたイベントに対応するストリームファイルを再生するためのプレイリストファイルを作成し、当該プレイリストファイルに制限情報を関連付けてもよい。例えば、プレイリスト作成部６は、人の動きが検知された時間帯に撮像されたストリームファイル、停電が発生した時間帯に撮像されたストリームファイル、及び／又は、所定のセンサーが作動した時間帯に撮像されたストリームファイルを再生するためのプレイリストファイルを作成し、当該プレイリストファイルに制限情報を関連付けてもよい。
【００９０】
また、プレイリスト作成部６は、特定のユーザを識別するためのユーザ識別情報（例えばユーザＩＤ）に対応するプレイリストファイルを作成してもよい。例えば、ユーザ識別情報がユーザインターフェース９によって入力されると、プレイリスト作成部６は、当該ユーザ識別情報に対応するプレイリストファイルを作成し、当該プレイリストに制限情報を関連付ける。この場合、再生制御プログラムは、ユーザ識別情報に対応するプレイリストファイルに対する再生制限をユーザ識別情報と制限情報とに基づいて解除し、再生制限が解除されたプレイリストファイルに従ってストリームファイルを再生する。このように、特定のユーザに対して専用のプレイリストファイルを作成してもよい。また、ストリームファイルのカテゴリを示すカテゴリ識別情報（例えばカテゴリＩＤ）が映像データのメタデータに含まれている場合、プレイリスト作成部６は、メタデータ解析部３からカテゴリ識別情報を受けて、カテゴリ識別情報に対応するプレイリストファイルを作成してもよい。
【００９１】
また、本実施形態に係る映像データ処理装置１を、ビルのオーナーの顧客情報データベースや、貸しホール等の貸し出しデータベース等に連動させてもよい。例えば、特定の顧客（ユーザ）に対して再生を許可するチャンネルを示すチャンネル情報と再生を許可する時間を示す時間情報とを、特定の顧客を識別するためのユーザ識別情報に関連付けて、顧客情報データベースや貸し出しデータベース等に予め記憶させておく。すなわち、制限情報を用いて再生が許可される範囲を示す再生条件情報とユーザ識別情報とを関連付けてデータベースに予め記憶させておく。顧客情報データベースや貸し出しデータベース等と、映像データ処理装置１とは、例えばネットワーク等の通信経路によって接続されている。なお、顧客情報データベースや貸し出しデータベース等が記憶手段の一例に相当する。
【００９２】
そして、ビルのオーナー等がユーザインターフェース９を用いて、特定の顧客を識別するためのユーザ識別情報を入力すると、プレイリスト作成部６は、入力されたユーザ識別情報に関連付けられている再生条件情報（チャンネル情報及び時間情報）を、顧客情報データベースや貸し出しデータベース等から取得する。プレイリスト作成部６は、ユーザ識別情報に関連付けられている再生条件情報（チャンネル情報及び時間情報）に合致するストリームファイルの再生順序を規定するプレイリストファイルを作成し、プレイリストファイルと制限情報とを関連付ける。
【００９３】
以上のように、ユーザ識別情報に関連付けられた再生条件情報（チャネル情報及び時間情報）をデータベースから取得してプレイリストファイルを作成することで、ユーザによる再生条件情報の入力の手間を省くことができ、また、ユーザによる再生条件情報の誤入力を防ぐことができる。
【００９４】
また、上述した実施形態、変形例１及び変形例２では、プレイリストファイルごとに制限情報を関連付ける例について説明したが、映像データに含まれるすべてのストリームファイルの再生順序を規定するプレイリストファイルを作成し、再生制御プログラムによって、視聴権限に応じて再生禁止区間をスキップ、非表示（画面マスク）又は再生停止等の処理を実行してもよい。
【００９５】
例えば、プレイリスト作成部６は、映像データに含まれるすべてのストリームファイルの再生順序を規定するプレイリストファイルを作成し、すべてのストリームファイルのうち、再生条件情報（時間情報及びチャンネル情報）によって特定される再生区間に制限情報を関連付ける。例えば、再生区間として時間帯（日付、曜日、時刻）が指定された場合、プレイリスト作成部６は、指定された再生区間（時間帯）に対応するストリームファイルの再生を制限するための制限情報を、指定された再生区間に関連付ける。複数の再生区間が指定され、当該複数の再生区間のそれぞれに対する制限情報が入力された場合、プレイリスト作成部６は、再生区間ごとに制限情報を関連付ける。
【００９６】
プログラム作成部７は、再生装置３０にて入力された制限情報に基づいてストリームファイルに対する再生制限を再生区間ごとに解除して再生区間に対応するストリームファイルを再生するための再生制限プログラムを作成する。この再生制御プログラムは、再生装置３０にて入力された制限情報と再生区間に関連付けられている制限情報とを照合し、再生装置３０にて入力された制限情報が関連付けられている再生区間に対応するストリームファイルを再生するためのプログラムである。
【００９７】
そして、再生装置３０にて再生制御プログラムが実行され、制限情報が再生装置３０に入力されると、入力された制限情報に関連付けられている再生区間に対応するストリームファイルが再生される。このとき、当該再生区間以外の区間（再生禁止区間）に対応するストリームファイルはスキップされて再生されない。また、再生制御プログラムによって、表示装置の画面にマスクを設けることで再生禁止区間に対応するストリームファイルを非表示にしたり、再生禁止区間に対応するストリームファイルの再生を停止したりしてもよい。
【００９８】
以上のように、ストリームファイルのうち再生区間ごとに制限情報を関連付けることで、ストリームファイルの再生を再生区間ごとに個別に制限することができる。例えば、再生が許可された時間及びチャンネルを制限することができ、また、再生が許可される時間及びチャンネルを制限情報に応じて変えることができる。
【００９９】
また、プレイリスト作成部６は、特定のユーザを識別するためのユーザ識別情報を受け、当該ユーザ識別情報に関連付けられている再生条件情報（チャンネル情報及び時間情報）を、顧客情報データベースや貸し出しデータベース等から取得し、当該再生条件情報によって特定される再生区間に制限情報を関連付けてもよい。このように、ユーザ識別情報に関連付けられた再生条件情報をデータベースから取得して再生区間に制限情報を関連付けることで、ユーザによる再生条件情報の入力の手間が省け、また、ユーザによる再生条件情報の誤入力を防ぐことができる。
【０１００】
（ハードウェア構成）
上述した映像データ処理装置１は図示しないＣＰＵ等のプロセッサを備えている。プロセッサは、図示しないメモリに記憶されたプログラムを実行することにより、エンコーダ２、メタデータ解析部３、プレイリスト作成部６、プログラム作成部７及び書き込み部８のそれぞれの機能を実現する。上記プログラムは、ＣＤやＤＶＤやＢｌｕ−ｒａｙディスク等の可搬性記録媒体を介して又はネットワーク等の通信経路を介してハードディスクドライブ（ＨＤＤ）等の記憶装置に記憶される。なお、上記プログラムはハードディスクドライブ等の記憶装置に予め記憶されていてもよい。ハードディスクドライブ等の記憶装置に記憶されたプログラムがＲＡＭ等のメモリに読み出されてＣＰＵ等のプロセッサによって実行されることにより、エンコーダ２、メタデータ解析部３、プレイリスト作成部６、プログラム作成部７及び書き込み部８のそれぞれの機能が実現される。
【符号の説明】
【０１０１】
１  映像データ処理装置、２  エンコーダ、３  メタデータ解析部、４  パスワード入力部、５  再生条件入力部、６  プレイリスト作成部、７  プログラム作成部、８  書き込み部、９  ユーザインターフェース、２０  可搬性記録媒体、３０  再生装置、３１  ＣＰＵ、４０  映像サーバ。
【図１】
2013225366.tif 000003
【図２】
2013225366.tif 000004
【図３】
2013225366.tif 000005
【図４】
2013225366.tif 000006
【図５】
2013225366.tif 000007
【図６】
2013225366.tif 000008
【図７】
2013225366.tif 000009
【図８】
2013225366.tif 000010
【図９】
2013225366.tif 000011
【図１０】
2013225366.tif 000012
【図１１】
2013225366.tif 000013
【図１２】
2013225366.tif 000014